(57)【要約】【課題】電気光学装置において、外部より発生するノイズや、実装された電子部品から発生するノイズを効果的に除去する。【解決手段】液晶装置は、液晶表示パネル、第１の支持部材（フレーム）及びシールド部材を有する。液晶表示パネルは、電子部品の一例たるドライバＩＣ等を実装する実装領域を有する。第１の支持部材は、導電性を有し、液晶表示パネルを収容すると共に、０Ｖなどの基準電位ＶＧＮＤに電気的に接続されている。シールド部材は、絶縁層及び導電層を有する。そして、ドライバＩＣは接着剤等を介してシールド部材の絶縁層により固定されており、その導電層は第１の支持部材に電気的に接続されている。これにより、ドライバＩＣ等又は外部より発生したノイズは、シールド部材を介して第１の支持部材に導かれ、最終的に基準電位ＶＧＮＤに逃される。よって、電気光学装置又は外部より発生するノイズを効果的に除去できる。【選択図】図２
2010072272.tif 000002
【特許請求の範囲】
【請求項１】
導電部を有するフレームと、
前記フレームに収容された電気光学パネルと、
前記電気光学パネルの実装領域に実装された電子部品と、を備え、
前記実装領域の少なくとも一部を覆う導電層を有するシールド部材が、前記電子部品に絶縁層を介して当接し、前記シールド部材の前記導電層が前記フレームの前記導電部に電気的に接続されていることを特徴とする電気光学装置。
【請求項２】
前記シールド部材の前記導電層が基準電位に電気的に接続されていることを特徴とする請求項１に記載の電気光学装置。
【請求項３】
前記電子部品には、第１の電子部品及び第２の電子部品が含まれ、
前記実装領域には、前記第１の電子部品、前記第２の電子部品、及び前記第１の電子部品と前記第２の電子部品とを電気的に接続する端子が配置されており、
前記シールド部材は、前記第１の電子部品及び前記端子、並びに前記端子と電気的に接続される側の前記第２の電子部品を覆っていることを特徴とする請求項１又は２に記載の電気光学装置。
【請求項４】
前記シールド部材は、前記導電層と、前記導電層に重ねて配置された前記絶縁層と、前記導電層の一部に重ねて配置された導電性粘着層と、を有し、
前記シールド部材において、前記絶縁層は前記第１の電子部品に接着剤、又は接着テープにより固定されていると共に、前記導電性粘着層は前記フレームの前記導電部に電気的に接続されていることを特徴とする請求項３に記載の電気光学装置。
【請求項５】
前記シールド部材は、前記導電層と、前記導電層に重ねて配置された導電性粘着層と、前記導電性粘着層に部分的に重ねて配置された前記絶縁層と、を有し、
前記導電性粘着層の一部は、前記絶縁層より露出していると共に前記フレームの前記導電部に電気的に接続されており、前記絶縁層は前記第１の電子部品に接着剤、又は接着テープにより固定されていることを特徴とする請求項３に記載の電気光学装置。
【請求項６】
前記第１の電子部品は前記電気光学パネルの表示状態を制御するドライバＩＣであり、
前記第２の電子部品は配線基板であり、
前記ドライバＩＣには、前記配線基板側から前記端子を介して高周波信号が入力されることを特徴とする請求項３乃至５のいずれか一項に記載の電気光学装置。
【請求項７】
前記シールド部材において、少なくとも前記第１の電子部品と平面的に重なる領域は遮光性を有していることを特徴とする請求項３乃至６のいずれか一項に記載の電気光学装置。
【請求項８】
請求項１乃至７のいずれか一項に記載の電気光学装置を表示部として備えることを特徴とする電子機器。
【発明の詳細な説明】
【技術分野】
【０００１】
本発明は、各種情報の表示に用いて好適な電気光学装置に関する。
【背景技術】
【０００２】
現在、携帯電話機、携帯情報端末機、コンピュータディスプレイなどの電子機器において、映像を表示するために液晶装置などの電気光学装置が広く用いられている。
【０００３】
このような電気光学装置は、一対の基板間に電気光学物質を挟持して構成される。そして、一対の基板のうち、一方の基板は、他方の基板の一端から外側に張り出す張り出し領域を有する。この張り出し領域には、電気光学物質を駆動するためのドライバＩＣや、ドライバＩＣと接続端子を通じて電気的に接続されたＦＰＣ（Flexible Printed Circuit）などの配線基板が実装されている。かかる電気光学装置では、電子機器側から表示に必要な各種の信号が、配線基板及び接続端子を介してドライバＩＣに入力される。この信号のなかには、画像を高速に切替えて表示したり、高速でデータ伝送を行ったりするために高周波信号が含まれ、電磁波ノイズが発生しやすくなってきている。
【０００４】
また、このような電気光学装置では、ＦＰＣとドライバＩＣとを接続する接続端子が外部に露出していることが多い。そのために、その露出した接続端子は外部からのノイズ（例えば電磁波ノイズなど）を拾い易い。また、ＦＰＣとドライバＩＣとの間で高周波信号の伝送を行うと、その伝送により生じるノイズがその露出した接続端子から外部へ放射され易い。このようなノイズが接続端子にのったり、或いは接続端子から放射されたりすると、これに起因して電気光学装置や電子機器などが異常動作を起こす虞がある。
【０００５】
この点に関し、例えば、特許文献１には、静電気等といった外部ノイズが存在していても異常動作を起こすことのない電気光学装置が記載されている。
【０００６】
具体的に、この特許文献１に記載の電気光学装置は、電気光学パネルと配線基板の接続部分を覆う、電磁波吸収物質を含む絶縁材を有する。そして、その絶縁材は、空気よりも大きい絶縁耐力を有し、外部に露出する配線基板の基板側端子を覆うように設けられている。これにより、基板側端子が電気ノイズを拾うことを防止でき、電気光学装置が外部ノイズによって異常動作を起こすことを防止できるとされている。
【０００７】
【特許文献１】特開２００６−２８４８２９号公報
【発明の開示】
【発明が解決しようとする課題】
【０００８】
ところで、上記の特許文献１に記載の電気光学装置では、電磁波吸収物質｛磁性物質｝を含む絶縁材が基準電位に接続（例えばアースや接地）されていない。このため、かかる絶縁材は、ノイズを吸収することによって、当該絶縁材には多くの電荷が蓄積される。そうすると、この電気光学装置では、当該絶縁材がアンテナとなって、その吸収したノイズを外部へ放射（二次放射）してしまう虞がある。
【０００９】
本発明は、以上の点に鑑みてなされたものであり、外部より発生するノイズや、実装された電子部品から発生するノイズを効果的に除去することが可能な電気光学装置及びそれを用いた電子機器を提供することを課題とする。
【課題を解決するための手段】
【００１０】
本発明の１つの観点では、電気光学装置は、導電部を有するフレームと、前記フレームに収容された電気光学パネルと、前記電気光学パネルの実装領域に実装された電子部品と、を備え、前記実装領域の少なくとも一部を覆う導電層を有するシールド部材が、前記電子部品に絶縁層を介して当接し、前記シールド部材の前記導電層が前記フレームの前記導電部に電気的に接続されている。
【００１１】
上記の電気光学装置は、フレーム、電気光学パネル及び電子部品を備える。フレームは、導電部を有する。電気光学パネルは、フレームに収容されている。電子部品は、電気光学パネルの実装領域に実装されている。
【００１２】
特に、この電気光学装置では、実装領域の少なくとも一部を覆う導電層を有するシールド部材が電子部品に絶縁層を介して当接し、シールド部材の導電層がフレームの導電部に電気的に接続されている。ここで、電子部品をシールド部材の絶縁層（例えば絶縁性のテープ）で覆う理由は、当該電子部品をシールド部材の導電性のものを直接付けるとノイズが電子部品に入ってしまうからである。
【００１３】
この構成によれば、電子部品をシールド部材で覆っているので、電磁波のシールドをすることができる。具体的に、この構成では、電子部品より発生したノイズ（例えば電磁波ノイズを含む）は、シールド部材を介してフレームの導電部に逃される。これにより、電気光学装置より発生するノイズを効果的に除去することができる。よって、ノイズに起因した電子部品の誤動作などを防止でき、電気光学装置の動作に悪影響を及ぼすことを防止できる。
【００１４】
また、外部より発生したノイズは、シールド部材がバリアとなり、電子部品に放射されることを防止できる。これにより、電気光学装置の外部より発生するノイズを効果的に除去することができる。よって、ノイズに起因した電気光学装置の動作に悪影響を及ぼすことを防止できる。
【００１５】
好適な例では、前記シールド部材の前記導電層が基準電位に電気的に接続されていることが好ましい。すなわち、シールド部材を接地、つまりシールド部材の導電層を基準電位に接続することで、フレームへノイズを効率的に逃がすシールド能力がより向上する。例えば、電気光学装置に搭載される駆動回路のグランド端子にシールド部材を介してフレームの導電部に接続したり、或いは、電気光学装置を組み込まれる電子機器の筐体にフレームの導電部を接触させたりすればよい。即ち、シールド部材（導電層を含む）が電磁波の出射、入射をシールドするために電子部品の配置される実装領域の少なくとも一部をシールド部材で覆ってシールド部材の導電層が電気的に基準電位部になるように導電部を有するフレームに接続（接触）される。また、シールド部材が基準電位に接続されることで、シールド部材にノイズに起因した電荷が蓄積されることを防止でき、シールド部材からノイズが外部へ放射（二次放射）されることを防止できる。
【００１６】
なお、このようなノイズを完全に除去するためには、電子部品の全てがシールド部材により覆われていることが好ましい。
【００１７】
上記の電気光学装置の一つの態様では、前記電子部品には、第１の電子部品及び第２の電子部品が含まれ、前記実装領域には、前記第１の電子部品、前記第２の電子部品、及び前記第１の電子部品と前記第２の電子部品とを電気的に接続する端子が配置されており、前記シールド部材は、前記第１の電子部品及び前記端子、並びに前記端子と電気的に接続される側の前記第２の電子部品を覆っている。
【００１８】
この態様によれば、第１の電子部品及び端子、並びに当該端子と電気的に接続される側の第２の電子部品から発生したノイズは、シールド部材を通じてフレーム又は基準電位に逃される。このため、電気光学装置より発生するノイズを効果的に除去することができる。よって、第１の電子部品及び端子、並びに当該端子と電気的に接続される側の第２の電子部品から発生するノイズが外部へ放射されることを防止できる。また、外部より発生したノイズは、シールド部材がバリアとなり、第１の電子部品及び端子、並びに当該端子と電気的に接続される側の第２の電子部品に放射されることを防止できる。よって、ノイズに起因した電気光学装置の動作に悪影響を及ぼすことを防止できる。
【００１９】
好適な例では、前記シールド部材は、前記導電層と、前記導電層に重ねて配置された前記絶縁層と、前記導電層の一部に重ねて配置された導電性粘着層と、を有し、前記シールド部材において、前記絶縁層は前記第１の電子部品に接着剤、又は接着テープにより固定されていると共に、前記導電性粘着層は前記フレームの前記導電部に電気的に接続されていることが好ましい。或いは、前記シールド部材は、前記導電層と、前記導電層に重ねて配置された導電性粘着層と、前記導電性粘着層に部分的に重ねて配置された前記絶縁層と、を有し、前記導電性粘着層の一部は、前記絶縁層より露出していると共に前記フレームの前記導電部に電気的に接続されており、前記絶縁層は前記第１の電子部品に接着剤、又は接着テープにより固定されていることが好ましい。なお、これらの態様では、シールド部材の絶縁層は接着剤、又は接着テープにより電子部品に固定されているので、シールド部材が電子部品から剥がれてしまうことを防止できる。
【００２０】
上記の電気光学装置の他の態様では、前記第１の電子部品は前記電気光学パネルの表示状態を制御するドライバＩＣであり、前記第２の電子部品は配線基板であり、前記ドライバＩＣには、前記配線基板側から前記端子を介して高周波信号が入力される。
【００２１】
この態様によれば、高周波信号の伝送時に発生するノイズが、ドライバＩＣ、配線基板或いは端子を介して外部へ放射された場合、その放射ノイズは、シールド部材を通じてフレーム又は基準電位に逃される。そのため、かかるノイズを効果的に除去することができる。よって、こうしたノイズに起因したドライバＩＣの誤動作や、電気光学装置の動作不良を防止することができる。
【００２２】
上記の電気光学装置の他の態様では、前記シールド部材において、少なくとも前記第１の電子部品と平面的に重なる領域は遮光性を有している。これによれば、電気光学装置の外部からの光（外部光）が第１の電子部品（例えば、ドライバＩＣ）に入射されるのを防止でき、外部光に起因した第１の電子部品の誤動作を防止することができる。
【００２３】
本発明の更に他の観点では、上記の何れかの電気光学装置を表示部として備える電子機器を構成することができる。
【発明を実施するための最良の形態】
【００２４】
以下、図面を参照して本発明を実施するための最良の形態について説明する。
【００２５】
[第１実施形態]
（液晶装置の構成）
まず、図１及び図２を参照して、本発明の第１実施形態に係る電気光学装置の一例としての液晶装置１００の構成について説明する。
【００２６】
図１は、第１実施形態に係る液晶装置１００をその表示側から見た平面図を示す。図２は、図１の切断線Ａ−Ａ’に沿った液晶装置１００の構成を示す要部断面図であり、特に、シールド部材８０等によるノイズ除去構造を示す。
【００２７】
液晶装置１００は、電気光学パネルの一例としての液晶表示パネル５０と、通過する光を偏光する一対の偏光板５、６と、液晶表示パネル５０の表示側とは逆側に配置され、液晶表示パネル５０を照明する照明装置５１と、シールド部材８０と、を備える。
【００２８】
液晶表示パネル５０は、第１の基板１と第２の基板２とを枠状のシール材３を介して貼り合わせ、シール材３で区画される領域内に、電気光学層の一例としての液晶層４を狭持して構成される。なお、本発明では、液晶表示パネル５０は、以下の構成に限定されず、周知の種々の構成を採り得る。
【００２９】
第１の基板１は、第２の基板２の一端２ｅから外側に張り出す領域（以下、「実装領域」と称する）１ｈを有する。実装領域１ｈの第２の基板２側の面には、少なくとも１つの電子部品、例えばドライバＩＣ（Integrated Circuit）７及び配線基板たるＦＰＣ（Flexible Printed Circuit）８が実装され、さらに複数の接続端子２１などが実装されている。ドライバＩＣ７は、複数の入力端子７ａ及び複数の出力端子７ｂを有している。各接続端子２１は、ドライバＩＣ７の各入力端子７ａとＦＰＣ８とを電気的に接続している。
【００３０】
また、実装領域１ｈの第２の基板２側の面から、第１の基板１の液晶層４側の面にかけて複数の信号線２２が形成されている。各信号線２２は、ドライバＩＣ７の各出力端子７ｂに電気的に接続されている。なお、信号線２２には、表示内容に応じたデータが供給されるデータ線、走査信号が供給される走査線、及び基準電位（例えば０[Ｖ]、グランド電位など）が供給される共通配線などが含まれる。
【００３１】
その他、液晶表示パネル５０の液晶層４側の面上には、図示を省略するが、例えばブラックマトリックス、カラーフィルタ、電極その他の多くの構成要素がマトリクス状（格子状）又はストライプ状（線状）に形成されている。そして、液晶表示パネル５０におけるシール材３の内側には、画像を表示するための表示領域が形成される。
【００３２】
偏光板５は、第１の基板１の液晶層４側とは逆側の面に配置されていると共に、偏光板６は、第２の基板２の液晶層４側とは逆側の面に配置されている。偏光板５の透過軸は、例えば偏向板６の透過軸に対して略９０[°]に設定されている。
【００３３】
照明装置５１は、第１の支持部材（フレーム）１０と、反射シート１１と、導光板１２と、光源１３と、光学シート群と、第２の支持部材１７と、遮光テープ７０と、を備える。ここで、光学シート群には、周知の光学シート、例えば、拡散シート１４、第１のプリズムシート１５及び第２のプリズムシート１６が含まれる。
【００３４】
第１の支持部材１０は、箱状の形状を有し、照明装置５１の各構成部材、一対の偏光板５、６及び液晶表示パネル５０等を支持した状態で収容する。なお、本例では、第１の支持部材１０は、光源１３側の外周部が断面コの字形状を有している。第１の支持部材１０は、金属などの導電性を有する素材にて形成され、その適当な位置において基準電位（例えば、０Ｖや、信号線２２などの共通電位や、接地など）ＶＧＮＤに電気的に接続されている。
【００３５】
反射シート１１は、光を反射するシート状の部材であり、第１の支持部材１０の液晶表示パネル５０と対向する面に配置されている。
【００３６】
導光板１２は、透明性を有する素材にて形成され、反射シート１１の第１の支持部材１０側とは逆側に且つ反射シート１１と対向する位置に配置されている。導光板１２は、その一端面と対面する位置に配置された光源１３から発光された光Ｌを拡散シート１４側に向けて導く役割を有する。なお、光源１３としては、例えば発光ダイオードや冷陰極管などが挙げられる。
【００３７】
拡散シート１４は、導光板１２の反射シート１１側とは逆側に且つ導光板１２と対向する位置に配置され、導光板１２から出光された光Ｌを第１のプリズムシート１５に向けて拡散させる役割を有する。
【００３８】
第１のプリズムシート１５は、拡散シート１４の導光板１２側とは逆側の面に重ねて配置され、拡散シート１４から出光された光Ｌを第２のプリズムシート１６に向けて集光させる役割を果たす。
【００３９】
第２のプリズムシート１６は、第１のプリズムシート１５の拡散シート１４側とは逆側に重ねて配置され、第１のプリズムシート１５から出光された光Ｌを液晶表示パネル５０側に向けて集光させる役割を果たす。なお、第２のプリズムシート１６のプリズムの稜線の延在方向は、図示を省略するが、第１のプリズムシート１５のプリズムの稜線の延在方向と略直交する方向に延在するように構成することができる。
【００４０】
第２の支持部材１７は、枠状の形状を有し、その内周部（又は内壁）は、図示しない導光板１２の外周部（又は外壁）を支持している。
【００４１】
遮光テープ７０は、枠状の形状を有し、光学シート群より外側であって、且つ液晶表示パネル５０の外周部と平面的に重なる位置（本例では、第１の基板１の第２の基板２側とは逆側の実装領域１ｈの面）に配置されている。遮光テープ７０は、照明装置５１からの不要な漏れ光を遮光して、液晶表示パネル５０の表示品位に悪影響を与えるのを防止する役割を有する。
【００４２】
シールド部材８０は、ノイズを除去する部材であり、その構成や配置については後述する。
【００４３】
以上の構成を有する液晶装置１００では、光源１３から出射された光Ｌは、図２の矢印に示すように導光板１２内を伝播して、その伝播した光Ｌは導光板１２の拡散シート１４側の面から出光する。なお、導光板１２内を伝播した光Ｌのうち一部の光は反射シート１１側の面から出光して反射シート１１により反射され、再び、その光は導光板１２内に戻される。そして、導光板１２から拡散シート１４に向けて出光した光Ｌは、光学シート群を通過して、さらに液晶表示パネル５０の表示領域に向けて進行する。この際、液晶表示パネル５０において液晶層４の液晶分子の配向が制御されて、所望の表示画像が観察者によって視認される。
【００４４】
（ノイズ除去構造）
次に、図１及び図２を参照して、第１実施形態に係るノイズ除去構造について説明する。
【００４５】
まず、この液晶装置１００において、ノイズによって生じる不具合の一例について簡単に述べる。例えば、この液晶装置１００の駆動時には、ＦＰＣ８から接続端子２１を介してドライバＩＣ７に各種の信号が入力される。この信号の中には、画像を高速に切替えて表示し、或いは高速でデータ伝送を行うために高周波信号も含まれている。このような高周波信号の伝送時には、ドライバＩＣ７とＦＰＣ８とを電気的に接続する接続端子２１の露出部分からノイズ（例えば電磁波ノイズなどを含む、以下同様）が放射され易くなる。その他にも、ドライバＩＣ７自体から外部へノイズが放射されたり、或いは、液晶装置１００の外部から接続端子２１の露出部分にノイズが入力されたりすることもある。ドライバＩＣ７や接続端子２１の露出部分からノイズが放射されると、液晶装置１００の動作や、液晶装置１００を搭載する電子機器の動作に悪影響を与える虞がある。また、その逆に、このようなノイズが接続端子２１の露出部分に入力されると、ドライバＩＣ７の誤動作を引き起こし、適正な信号がドライバＩＣ７に入力できなくなる虞がある。
【００４６】
そこで、このようなノイズを効果的に除去するために、本発明では、液晶装置１００において、ノイズの発生源となる部分やノイズを拾い易い部分、例えば電子部品の少なくとも一部を絶縁層を介してシールド部材８０によって当接した状態で覆い、さらにそのシールド部材８０の導電層を基準電位（例えば、０Ｖや、信号線２２などの共通電位や、接地など）ＶＧＮＤに電気的に接続された第１の支持部材１０に電気的に接続する。なお、本発明では、第１の支持部材１０と基準電位ＶＧＮＤとは図示しない配線を介して電気的に接続するようにしてもよい。
【００４７】
なお、電子部品の少なくとも一部には、例えばドライバＩＣ７（第１の電子部品）、接続端子２１の露出部分、接続端子２１と電気的に接続される側のＦＰＣ８（第２の電子部品）の端部付近（第１の支持部材１０に覆われていない部分）などが含まれる。
【００４８】
具体的に、第１実施形態では、シールド部材８０は、導電層８１と、導電層８１に重ねて配置された絶縁層８２と、絶縁層８２とは逆側に位置する導電層８１の一部に重ねて配置された導電性粘着層８３と、を有して構成される。導電性粘着層８３としては、導電粒子を含む接着剤、例えばＡＣＦ（Anisotropic Conductive Film）などが挙げられる。そして、シールド部材８０において、絶縁層８２はドライバＩＣ７に、図示しない接着剤、又は接着テープにより固定されていると共に、導電性粘着層８３は、基準電位ＶＧＮＤに電気的に接続された導電体たる第１の支持部材１０に電気的に接続されている。ここで、ドライバＩＣ７をシールド部材８０の絶縁層８２を介して覆う理由は、ドライバＩＣ７をシールド部材８０の導電層８１で直接付けて覆うとノイズがドライバＩＣ７に入力されてしまうからである。
【００４９】
この構成によれば、例えばＦＰＣ８側から接続端子２１を介してドライバＩＣ７側に高周波信号を入力し、これに起因して接続端子２１の露出部分からノイズが放射された場合、或いはドライバＩＣ７自体からノイズが放射された場合には、そのノイズはシールド部材８の絶縁層８２を介して導電層８１へと導かれ、さらに導電性粘着層８３を介して第１の支持部材１０に導かれ、最終的に基準電位ＶＧＮＤに逃される。これにより、液晶装置１００より発生するノイズを効果的に除去することができる。よって、かかるノイズに起因して、液晶装置１００の動作や、液晶装置１００を搭載する電子機器の動作に夫々悪影響を与えることを防止できる。
【００５０】
また、液晶装置１００の外部から、ドライバＩＣ７や、接続端子２１の露出部分や、第１の支持部材１０から露出するＦＰＣ８の部分などに向けてノイズが放射された場合には、シールド部材８０がバリアとなり、そのノイズはそれらの部分に放射されることを防止できる。かかるノイズは、シールド部材８０の導電層８１を介して導電性粘着層８３に導かれ、さらに第１の支持部材１０を介して基準電位ＶＧＮＤに逃される。これにより、液晶装置１００の外部より発生するノイズを効果的に除去することができる。よって、ドライバＩＣ７や、接続端子２１の露出部分や、第１の支持部材１０から露出するＦＰＣ８の部分に外部からのノイズがのることを防止できる。その結果、ノイズを含む信号がドライバＩＣ７に入力されることを防止できると共に、ノイズに起因したドライバＩＣ７の誤動作などを防止することができる。
【００５１】
さらに、シールド部材８０は基準電位ＶＧＮＤに電気的に接続されているため、ノイズに起因して発生する電荷が、シールド部材８０に蓄積されるのを防止できる。よって、シールド部材８０からノイズが放射（二次放射）されるといったことを防止できる。
【００５２】
好適な例では、上記した作用効果を十分に発揮させるため、シールド部材８０は、ドライバＩＣ７や、接続端子２１の露出部分や、第１の支持部材１０から露出するＦＰＣ８の部分を十分に覆う大きさを有していることが好ましい。
【００５３】
また、第１実施形態では、シールド部材８０は、その一端側の領域Ａ１がＦＰＣ８の部分に当接した状態で、当該一端が導電性粘着層８３を介して、断面コの字形状を有する第１の支持部材１０の内面（本例では第２の支持部材１７側の面）に対して電気的に接続されている。これにより、液晶装置１００に落下などの衝撃が加わった場合、ＦＰＣ８と第１の支持部材１０とが接触又は衝突するのを防止でき、その衝突に起因したＦＰＣ８の破損を防止できる。
【００５４】
また、シールド部材８０の設置により液晶装置１００の外形を変えないようにするためには、シールド部材８０の厚さは、液晶装置１００の厚さｔ１を超えない厚さとすることが好ましい。特に、近年では、液晶装置１００は益々薄型化の傾向にあるため、シールド部材８０は薄いテープ状のものにより形成されていることが好ましい。
【００５５】
また、シールド部材８０の一端側は、上記のように、導電性粘着層８３を介して断面コの字形状を有する第１の支持部材１０の内面（本例では第２の支持部材１７側の面）に対して電気的に接続されている。これにより、シールド部材８０の一端側は、第１の支持部材１０の外部に露出しなくなり、剥離し難くなる。また、これにより、シールド部材８０の一端側における液晶装置１００の厚さが、液晶装置１００の厚さｔ１より大きくなることを防止できる。よって、近年、益々薄型化されつつある電子機器などへの液晶装置１００の搭載に際し、シールド部材８０の設置による制約が生じることを防止できる。
【００５６】
また、シールド部材８０において、導電層８１の少なくともドライバＩＣ７と平面的に重なる領域は、遮光性を有する素材にて形成されていることが好ましい。ここで、遮光性を有する素材としては、例えば、ノイズ軽減効果の高く、且つ安価なアルミニウム製のテープなどが好ましい。これにより、ドライバＩＣ７は遮光性を有するシールド部材８０により覆われることになる。よって、例えば液晶装置１００の外部からの光（外部光）がドライバＩＣ７に入射されるのを防止でき、外部光に起因したドライバＩＣ７の誤動作を防止することができる。
【００５７】
また、この構成よれば、シールド部材８０の絶縁層８２は接着剤、又は接着テープによりドライバＩＣ７に固定されているので、シールド部材８０がドライバＩＣ７から剥がれてしまうことを防止できる。
【００５８】
[第２実施形態]
次に、図３を参照して、第２実施形態に係るノイズ除去構造について説明する。
【００５９】
図３は、図２に対応する第２実施形態に係る液晶装置１００ａの要部断面図であり、特に、シールド部材８０ａ等によるノイズ除去構造を示す。
【００６０】
第２実施形態に係る液晶装置１００ａは、第１実施形態に係る液晶装置１００と比較して、シールド部材を設けてノイズを効果的に除去する点は共通するものの、そのシールド部材の構造、及びシールド部材と第１の支持部材１０との接続位置が異なり、それ以外は同様である。よって、以下では、第１実施形態と同一の要素については同一の符号を付し、その説明は適宜省略する。
【００６１】
具体的に、第２実施形態では、シールド部材８０ａは、導電層８１と、導電層８１に重ねて配置された導電性粘着層８３と、導電性粘着層８３に部分的に重ねて配置された絶縁層８２と、を有して構成される。ここで、導電層８１と、導電層８１に重ねて配置された導電性粘着層８３とを有する導電性部材は世の中に存在している。よって、第２実施形態では、この導電性部材の導電性粘着層８３に対して絶縁層８２に部分的に重ねて配置するだけで、容易にシールド部材８０ａを作製することができるといった利点がある。そして、導電性粘着層８３の一部８３ａは、絶縁層８２より外部に露出していると共に基準電位ＶＧＮＤに電気的に接続された導電体たる第１の支持部材１０に電気的に接続されており、絶縁層８２はドライバＩＣ７に、図示しない接着剤、又は接着テープにより固定されている。ここで、ドライバＩＣ７をシールド部材８０ａの絶縁層８２を介して覆う理由は、ドライバＩＣ７をシールド部材８０ａの導電性粘着層８３で直接付けて覆うとノイズがドライバＩＣ７に入力されてしまうからである。
【００６２】
この構成によれば、例えばＦＰＣ８側から接続端子２１を介してドライバＩＣ７側に高周波信号を入力し、これに起因して接続端子２１の露出部分からノイズが放射された場合、或いはドライバＩＣ７自体からノイズが放射された場合には、そのノイズはシールド部材８の絶縁層８２を介して導電性粘着層８３へと導かれ、さらに導電性粘着層８３を介して第１の支持部材１０に導かれ、最終的に基準電位ＶＧＮＤに逃される。これにより、液晶装置１００ａより発生するノイズを効果的に除去することができる。よって、かかるノイズに起因して、液晶装置１００ａの動作や、液晶装置１００ａを搭載する電子機器の動作に夫々悪影響を与えることを防止できる。
【００６３】
また、液晶装置１００ａの外部から、ドライバＩＣ７や、接続端子２１の露出部分や、第１の支持部材１０から露出するＦＰＣ８の部分などに向けてノイズが放射された場合には、シールド部材８０ａがバリアとなり、そのノイズはそれらの部分に放射されることを防止できる。かかるノイズは、シールド部材８０ａの導電層８１を介して導電性粘着層８３に導かれ、さらに第１の支持部材１０を介して基準電位ＶＧＮＤに逃される。これにより、液晶装置１００ａの外部より発生するノイズを効果的に除去することができる。よって、ドライバＩＣ７や、接続端子２１の露出部分や、第１の支持部材１０から露出するＦＰＣ８の部分にノイズがのることを防止できる。その結果、ノイズを含む信号がドライバＩＣ７に入力されることを防止できると共に、ノイズに起因したドライバＩＣ７の誤動作などを防止することができる。
【００６４】
さらに、シールド部材８０ａは基準電位ＶＧＮＤに電気的に接続されているため、ノイズに起因して発生する電荷が、シールド部材８０ａに蓄積されるのを防止できる。よって、シールド部材８０ａからノイズが放射（二次放射）されるといったことを防止できる。
【００６５】
好適な例では、上記した作用効果を十分に発揮させるため、シールド部材８０ａは、ドライバＩＣ７や、接続端子２１の露出部分や、第１の支持部材１０から露出するＦＰＣ８の部分を十分に覆う大きさを有していることが好ましい。なお、シールド部材８０ａの平面形状は、図１に示すように、第１実施形態に係るシールド部材８０と同様の平面形状とすることができる。
【００６６】
また、シールド部材８０ａの設置により液晶装置１００ａの外形を変えないようにするためには、シールド部材８０ａの厚さは、液晶装置１００ａの厚さｔ１を超えない厚さとすることが好ましい。特に、近年では、液晶装置１００ａは益々薄型化の傾向にあるため、シールド部材８０ａは薄いテープ状のものにより形成されていることが好ましい。
【００６７】
また、第２実施形態では、シールド部材８０ａは、その一端側（即ち、絶縁層８２より外部に露出する導電性粘着層８３の一部）を第１の支持部材１０に接続するだけでよいので、第１実施形態と比較して、液晶装置１００ａに対するシールド部材８０ａの取り付けを容易に行うことができる。
【００６８】
また、シールド部材８０ａにおいて、導電層８１の少なくともドライバＩＣ７と平面的に重なる領域は、遮光性を有する素材にて形成されていることが好ましい。ここで、遮光性を有する素材としては、例えば、ノイズ軽減効果の高く、且つ安価なアルミニウム製のテープなどが好ましい。これにより、ドライバＩＣ７は遮光性を有するシールド部材８０ａにより覆われることになる。よって、例えば液晶装置１００ａの外部からの光（外部光）がドライバＩＣ７に入射されるのを防止でき、外部光に起因したドライバＩＣ７の誤動作を防止することができる。
【００６９】
また、この構成よれば、シールド部材８０ａの絶縁層８２は接着剤、又は接着テープによりドライバＩＣ７に固定されているので、シールド部材８０ａがドライバＩＣ７から剥がれてしまうことを防止できる。
【００７０】
[変形例]
本発明は、上記の各実施形態に係る液晶装置１００、１００ａの構成に限定されるものではなく、その趣旨を逸脱しない範囲において種々の変形をすることが可能である。
【００７１】
例えば、上記の第１及び第２実施形態では、シールド部材８０、８０ａの液晶表示パネル５０側の端面をさらに第２の基板２側に延在させて、ドライバＩＣ７の出力端子７ｂ側から液晶表示パネル５０側に延在する、信号線２２の露出部分もシールド部材８０、８０ａにより覆われるようにしてもよい。これによれば、液晶装置１００、１００ａの外部から放射されたノイズが、信号線２２に入力されることを防止でき、液晶装置１００、１００ａの動作に悪影響を及ぼすことを防止できる。
【００７２】
また、本発明では、上記したシールド部材８０、８０ａの構成に限定されず、上記した作用効果を得ることができるものであれば、その構成に種々の変形を加えても構わない。
【００７３】
また、本発明では、第１の支持部材１０は、その全てが導電体で形成されている必要はない。例えば、本発明では、第１の支持部材１０において、少なくともシールド部材８０、８０ａの導電性粘着層８３と電気的に接続できる領域のみが導電部にて形成され、その導電部が上記した基準電位ＶＧＮＤに電気的に接続された構成であってもよい。
【００７４】
また、本発明では、シールド部材８０、８０ａは、ドライバＩＣ７や配線基板の一例としてのＦＰＣ８以外にも、液晶装置１００、１００ａに実装される様々な電子部品や、当該電子部品と電気的に接続され、外部に露出する端子を覆うようにしてもよい。これにより、これらの電子部品や端子にノイズがのることを防止でき、或いはこれらの電子部品や端子からノイズが外部に放射されることを防止できる。
【００７５】
また、本発明では、シールド部材８０、８０ａに対して絶縁層を設けることは必須ではない。この構成の場合は、シールド部材８０、８０ａは、別部材の絶縁層（両面が粘着性を有する絶縁テープなど）を介してドライバＩＣ７に固定された構成とすることができる。
【００７６】
[電子機器]
次に、上記した各実施形態に係る液晶装置１００、１００ａ、或いは上記した変形例に係る液晶装置のうちの何れかの液晶装置（以下、代表して「液晶装置１０００」と称する）を備える電子機器の具体例について図４を参照して説明する。
【００７７】
まず、本発明に係る液晶装置１０００を、可搬型のパーソナルコンピュータ（いわゆるノート型パソコン）の表示部に適用した例について説明する。図４（ａ）は、このパーソナルコンピュータの構成を示す斜視図である。同図に示すように、パーソナルコンピュータ７１０は、キーボード７１１を備えた本体部７１２と、本発明に係る液晶装置１０００を適用した表示部７１３とを備えている。
【００７８】
続いて、本発明に係る液晶装置１０００を、携帯電話機の表示部に適用した例について説明する。図４（ｂ）は、この携帯電話機の構成を示す斜視図である。同図に示すように、携帯電話機７２０は、複数の操作ボタン７２１のほか、受話口７２２、送話口７２３とともに、本発明に係る液晶装置１０００を適用した表示部７２４を備える。
【００７９】
なお、本発明に係る液晶装置１０００を適用可能な電子機器としては、図４（ａ）に示したパーソナルコンピュータや図４（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００８０】
【図１】本発明の第１実施形態に係るノイズ除去構造を有する液晶装置の平面図。
【図２】第１実施形態に係るノイズ除去構造を有する液晶装置の要部断面図。
【図３】第２実施形態に係るノイズ除去構造を有する液晶装置の要部断面図。
【図４】本発明の液晶装置を備える電子機器の斜視図。
【符号の説明】
【００８１】
１  第１の基板、  １ｈ  実装領域、  ２  第２の基板、  ７  ドライバＩＣ（第１の電子部品）、  ８  ＦＰＣ（第２の電子部品）、  １０  第１の支持部材（フレーム）、  ２１  接続端子（端子）、  ２２  信号線、  ５０  液晶表示パネル（電気光学パネル）、  ５１  照明装置、  ８０、８０ａ  シールド部材、  ８１  導電層、  ８２  絶縁層、  ８３  導電性粘着層、  １００、１００ａ  液晶装置（電気光学装置）
【図１】
2010072272.tif 000003
【図２】
2010072272.tif 000004
【図３】
2010072272.tif 000005
【図４】
2010072272.tif 000006